(57)【要約】【課題】従来の保持手段は分析装置とバイオセンサを、バイオセンサに付属する小さな突起物で固定するため、分析装置を落下させる、あるいは、壁や周囲の物に衝突させたとき、バイオセンサと分析装置の接合ずれを防止するには不充分である、という課題を有していた。【解決手段】バイオセンサを保持するストッパーを設けることで、バイオセンサ取り付け部構造に耐衝撃性を付与する。このような構造を設けることで分析に支障をきたすことなく屋外での生体成分分析装置の使用が可能となる。【選択図】図１
2013142601.tif 000002
【特許請求の範囲】
【請求項１】
バイオセンサを分析する生体成分分析装置のセンサ取付部構造であり、
前記生体成分分析器に検出電極部を有し、
前記バイオセンサを分析可能な状態で保持する保持手段を備え、
前記保持手段は、分析装置に備えられたストッパーが、バイオセンサと検出電極部位が接合する方向に圧力を加える手段であることを特徴とするセンサ取付部構造。
【請求項２】
前記ストッパーが独立して移動する物体であることを特徴とする、請求項１記載のセンサ取付部構造。
【請求項３】
前記ストッパーがバイオセンサを長辺方向にストッパーを固定する構造を有する、請求項２記載のストッパー。
【請求項４】
前記ストッパーがバイオセンサの一部を貫通する突起部位と平面部位で構成される、請求項２記載のストッパー。
【請求項５】
前記バイオセンサの一部を貫通する突起の形状が多角形である、請求項２記載のストッパー。
【請求項６】
前記ストッパーがバイオセンサの厚み方向に移動する機構を有する、請求項２記載のストッパー。
【発明の詳細な説明】
【技術分野】
【０００１】
本発明は血液検査に用いる生体成分分析装置に関するものである。
【背景技術】
【０００２】
従来から、医療現場ではバイオセンサを用いて疾患マーカーの計測値を算出し、表示する可搬式の生体成分分析装置が使用されている。この分析装置によれば、バイオセンサを分析装置に取り付けて検体を注入し、疾患マーカー濃度を算出して表示する。従来から、このような分析装置は病院内の検査室、患者自宅、処置室、診察室など屋内で使用される場合が多い。しかしながら、近年のバイオセンサ技術の向上に伴い、救急医療現場、災害現場、戦場など屋外で使用される場面も増えてきた。屋外での使用は、使用者の体勢が不安定であること、周囲に障害物があること等が原因で、測定中の分析装置の落下、障害物への衝突によって分析装置に衝撃が加わり、生体成分分析に支障をきたす可能性がある。そのためバイオセンサの取り付け部構造に耐衝撃性を付与することが望まれてきた。
【０００３】
バイオセンサを有するセンサユニットを計測可能な状態に取り付け、前記センサユニットを計測可能な状態で保持する保持手段と、前記保持手段に保持されたセンサユニットを該保持手段から離脱させる離脱手段を備えたセンサ取付構造が特許文献１で示されている。
【先行技術文献】
【特許文献】
【０００４】
【特許文献１】特開２００５−４３１１６号公報
【発明の概要】
【発明が解決しようとする課題】
【０００５】
しかしながら、従来の保持手段はバイオセンサを小さな突起物で固定しているため、分析装置を落下させる、あるいは、壁や周囲の物に衝突させたときの衝撃に起因するセンサと分析装置の接合ずれを防止するには不充分である、という課題があった。
【０００６】
本発明は、前記従来の課題を解決するもので、バイオセンサの取り付け部構造に耐衝撃性を提供することを目的とする。
【課題を解決するための手段】
【０００７】
本発明は、バイオセンサを分析する生体成分分析装置のセンサ取付部構造であり、
バイオセンサを分析する生体成分分析装置のセンサ取付部構造であり、
前記生体成分分析器に検出電極部を有し、
前記バイオセンサを分析可能な状態で保持する保持手段を備え、
前記保持手段は、分析装置に備えられたストッパーが、バイオセンサと検出電極部位が接合する方向に圧力を加える手段であることを特徴とするセンサ取付部構造であって、
前記ストッパーが独立して移動する物体であることを特徴とするセンサ取付部構造であって、
前記ストッパーがバイオセンサを長辺方向にストッパーを固定する構造を有し、
前記ストッパーがバイオセンサの一部を貫通する突起部位と平面部位で構成され、
前記バイオセンサーの一部を貫通する突起の形状が多角形であり、
前記ストッパーがバイオセンサの厚み方向に移動する機構を有する。
【０００８】
以上の構成によって、バイオセンサ取り付け部構造に耐衝撃性を付与することができる。
【発明の効果】
【０００９】
本発明の生体成分分析装置によれば、バイオセンサ取り付け部構造に耐衝撃性を付与することで、分析に支障をきたすことなく屋外で生体成分分析装置の使用が可能となる。
【図面の簡単な説明】
【００１０】
【図１】バイオセンサ取付部構造の概観図
【図２】ストッパーの概観図
【図３】バイオセンサの概観図
【図４】横方向から見たバイオセンサ取付部構造の動作図
【図５】縦方向から見たバイオセンサ取付部構造の動作図
【発明を実施するための形態】
【００１１】
以下本発明の実施の形態について、図面を参照しながら説明する。
【００１２】
（実施の形態１）
本発明のバイオセンサ取付部構造を構成する部品について説明する。
本発明で使用されるステージ１０１は、少なくとも一方の端面が開放している筒状の内部空間を有し、前記内部空間の短辺方向断面の形状は多角形であり、前記内部空間の寸法は短辺方向長さおよび長辺方向長さ、厚み方向長さがバイオセンサ１０３の短辺方向長さおよび長辺方向長さ、厚み方向長さと一致するか、僅かに大きいという構造を有している。
【００１３】
また、本発明で使用されるステージ１０１は、前記内部空間を形成する面のうち、バイオセンサ１０３を設置する面と正対する面に分析装置電極４２１を有する。
【００１４】
また、本発明で使用されるステージ１０１は、検体漏洩による汚染、電極不具合などの事態が起こったときには分析装置から取り外すことができる。
【００１５】
（実施の形態２）
次に図１、図２、図３を参照しながら、本発明のバイオセンサ取付部構造の概観を説明する。
【００１６】
図１はバイオセンサ取付部構造の概観を示している。分析装置に接続されたステージ１０１はストッパー１０２を備えている。バイオセンサ１０３はステージ１０１に挿入された後、下方向から上方向に向かって動作するストッパー１０２によって、バイオセンサ取付部構造の内部空間を上下に移動する。
【００１７】
図２はストッパーの概観を示している。（ａ）は水平方向から見たストッパーを示している。前記ストッパーはＴ字型の形状を有し、平面部分に対して上側の垂直方向の突起部位２０１はバイオセンサ１０３の厚みと同等以下の長さを有する。（ｂ）は鉛直方向から見たストッパーを示している。前記ストッパーは、短辺の全ての長さに及ぶ突起部位２０１と平面部位２０２を有する。
【００１８】
図３はバイオセンサの概観を示している。本発明で使用されるバイオセンサは、基板３０１の一方端側にストッパー貫通部位３０２があって、電極３０３は前記ストッパー貫通部位３０２の反対端側に位置している。
【００１９】
（実施の形態３）
次に図４および図５を参照しながら、本発明のバイオセンサ取付部構造の動作を説明する。
【００２０】
図４は本発明のバイオセンサ取付部構造の動作図を、バイオセンサの長辺方向断面４０１から見た説明図である。
（ａ）は、ステージ１０１上にバイオセンサ１０３が設置され、ストッパー１０２がバイオセンサ１０３とステージ１０１の接触面よりも下に位置していることを示している。
（ｂ）は、ストッパー１０２がバイオセンサ１０３と接触し、分析装置電極４２１に向けて移動を開始したことを示している。
（ｃ）は、上記（ｂ）の動作が完了し、バイオセンサ電極３０３が分析装置電極４２１と電極接合点４３１で導通したことを示している。
【００２１】
図５は本発明のバイオセンサ取付部構造の動作図を、バイオセンサの短辺方向断面５０１から見た説明図である。
（ａ）は、ステージ１０１上にバイオセンサ１０３が設置され、ストッパー１０２がバイオセンサ１０３とステージ１０１の接触面よりも下方向に位置していることを示している。
（ｂ）は、ストッパー平面部位２０２がバイオセンサ１０３と接触し、分析装置電極４２１に向けて移動を開始したことを示している。
（ｃ）は、上記（ｂ）の動作が完了し、バイオセンサ電極３０３が分析装置電極４２１と電極接合点４３１で導通したことを示している。
【産業上の利用可能性】
【００２２】
本発明にかかる生体成分分析装置は、バイオセンサ取り付け部構造に耐衝撃性を付与するという効果を有し、臨床検査機器等として有用である。
【符号の説明】
【００２３】
１０１  ステージ
１０２  ストッパー
１０３  バイオセンサ
２０１  ストッパー突起部位
２０２  ストッパー平面部位
３０１  センサ基板
３０２  ストッパー貫通部位
３０３  バイオセンサ電極
４０１  長辺方向断面
４２１  分析装置電極
４３１  電極接合点
５０１  短辺方向断面
【図１】
2013142601.tif 000003
【図２】
2013142601.tif 000004
【図３】
2013142601.tif 000005
【図４】
2013142601.tif 000006
【図５】
2013142601.tif 000007